(57)【特許請求の範囲】
【請求項１】
液晶表示パネルと該液晶表示パネルの周辺に配置され、該パネルを駆動するパネル駆動ＩＣ群を有する駆動回路基板及び該駆動回路基板と接続され、当該駆動回路基板の各パネル駆動ＩＣを個別に駆動制御する制御回路基板とから構成された液晶表示装置であって、
少なくとも一部の該駆動回路基板である第１の駆動回路基板は、フレキシブルな可撓性のある接続配線部を介して当該液晶表示パネルに接続されていると共に、残りの該駆動回路基板である第２の駆動回路基板は、当該液晶表示パネルに対して固定的に、又は一体的に接続されている液晶表示装置において、
当該第２の駆動回路基板には、該駆動回路基板に設けられた各パネル駆動ＩＣの入力端子に接続され、当該各パネル駆動ＩＣを個別に駆動制御する為の制御信号を供給する接続配線を含むフレキシブルな可撓性のある接続配線が接続されると共に、
該フレキシブルな可撓性のある接続配線の前記制御回路基板に近い側の一端部に、コネクタ挿入部が設けられ、
該制御回路基板が、フレキシブルな可撓性のある接続配線部を介して当該第１の駆動回路基板と接続されており、
且つ前記制御回路基板には、該第２の駆動回路基板に設けられた各パネル駆動ＩＣを個別に駆動制御する為の制御信号を出力するコネクタ部が設けられており、
当該フレキシブルな可撓性のある接続配線が折り曲げられ、該駆動回路基板と当該制御回路基板部とが折り畳まれた状態で当該液晶表示パネルの裏面部の、画像を構成しない前記液晶パネルの下方に配置され、該コネクタ部と該コネクタ挿入部とが互いに嵌合接続しえる様に構成されている事を特徴とする液晶表示装置。
【請求項２】
該第２の駆動回路基板が、当該液晶表示パネルに対してフレキシブルな可撓性のある接続配線部を介して当該液晶表示パネルに接続されている事を特徴とする請求項１記載の液晶表示装置。
【発明の詳細な説明】
【０００１】
【産業上の利用分野】
本発明は、液晶表示装置に関するものであり、更に詳しくは、液晶表示パネル周辺に設けられる駆動制御系の専有する面積を縮小して、液晶表示装置全体のサイズを縮小化する事が出来る液晶表示装置に関するものである。
【０００２】
【従来の技術】
従来、液晶表示装置の標準的な構成としては、図４に示す様に液晶表示パネル部２と該液晶表示パネル部２の一方の辺２１には、画像の走査、タイミングを操作するコモン電極（Ｙ電極）を駆動制御する為の複数個の駆動用ＩＣ３１〜３ｎが設けられたコモン電極駆動回路基板３が設けられると共に、他方の一対の辺２２と２３には、画像の情報を入力するセグメント電極（Ｘ電極）を駆動制御する為の複数個の駆動用ＩＣ４１〜４ｎが設けられたセグメント電極駆動回路基板４−１と４−２とが設けられている。
【０００３】
更に、上記した従来の液晶表示装置に於いては、該コモン電極駆動回路基板３とセグメント電極駆動回路基板４─１と４─２とに設けられている駆動用ＩＣ３１〜３ｎ及び４１〜４ｎとをそれぞれ個別に駆動制御する為のＬＳＩ等から構成された制御回路基板５、入出力手段６及び該制御回路基板５の演算処理を制御するマイクロコンピュータ等から構成された中央演算手段７等からなる周辺回路基板８等が設けられている。
【０００４】
係る従来の液晶表示装置１に於いては、一般的には、上記したコモン電極駆動回路基板３とセグメント電極駆動回路基板４─１と４─２とは、該液晶表示パネル２の側縁部に一体的に且つ固定的に接合されており、該コモン電極駆動回路基板３とセグメント電極駆動回路基板４─１と４─２とに設けられている駆動用ＩＣ３１〜３ｎ及び４１〜４ｎは、適宜の配線９、１０、１１等を介して該制御回路基板５の所定の入出力端子部と接続されている。
【０００５】
従って、従来に於ける液晶表示装置１に於いては、当該液晶表示パネル２のサイズに加えて、該コモン電極駆動回路基板３とセグメント電極駆動回路基板４─１と４─２のそれぞれのサイズが付加されることから、液晶表示装置１全体の大きさは、当該液晶表示パネル２の大きさよりもかなり大きなサイズにならざるを得ず、従って、当該液晶表示装置１全体のサイズを縮小化する場合には、液晶表示パネル２自体の大きさを小さくすると言う犠牲を払わざるを得ない状態で有った。
【０００６】
又、図４に示す様に、コモン電極とセグメント電極を駆動する駆動回路用ＩＣや配線が、液晶表示パネルに実装された場合、例えば液晶表示パネル２は、少なくとも対向する２枚の透明なガラス基板やプラスチック基板の間に液晶を挟み込み、液晶周囲をシール材で封止した構成をなしており、前記基板に於けるシール材の外側である基板略端部に駆動回路用ＩＣ４１〜４ｎをフェイスダウンして実装するところのいわゆるＣＯＧ（チップ・オン・グラス）構造の場合には、制御回路基板５と液晶表示パネル２の間の接続が図４の如く構成される為、入出力端子が制御回路基板５と液晶表示パネル２の対面に集中する。
【０００７】
この為、隣接する入出力端子間の線間を狭くしたり電極の太さを細くしなければならず、従って電極間のショートや断線、電極抵抗が大きくなると言う問題を有していた。
更に、従来に於いては、制御回路基板がコモン電極駆動回路と共に構成された後、液晶表示パネルにフレキシブル基板により接続された構成をなす液晶表示装置に於いては、制御回路部の実装歩留りとコモン電極駆動回路部の実装歩留りとの差が生じ、悪い実装歩留りにて基板の歩留りが決定されるので、製品のコストを高くすると言う問題も有していた。
【０００８】
【発明が解決しようとする課題】
本発明の目的は、上記した従来技術の欠点を改良し、液晶表示パネルの必要なサイズを維持したままで、当該液晶表示装置全体のサイズを縮小化しえる液晶表示装置の構成を提供すると共に、隣接する入出力端子間のショートや断線の増加或いは、電極抵抗が大きくなると言う問題を解決し、然かも実装歩留りを改善して製品のコストを安価に出来る液晶表示装置を提供するものである。
【０００９】
【課題を解決するための手段】
本発明は上記した目的を達成するため、基本的には、以下に記載されたような技術構成を採用するものである。即ち、液晶表示パネルと該液晶表示パネルの周辺に配置され、該パネルを駆動するパネル駆動ＩＣ群を有する駆動回路基板及び該駆動回路基板と接続され、当該駆動回路基板の各パネル駆動ＩＣを個別に駆動制御する制御回路基板とから構成された液晶表示装置であって、少なくとも一部の該駆動回路基板である第１の駆動回路基板は、フレキシブルな可撓性のある接続配線部を介して当該液晶表示パネルに接続されていると共に、残りの該駆動回路基板である第２の駆動回路基板は、当該液晶表示パネルに対して固定的に、又は一体的に接続されている液晶表示装置において、
当該第２の駆動回路基板には、該駆動回路基板に設けられた各パネル駆動ＩＣの入力端子に接続され、当該各パネル駆動ＩＣを個別に駆動制御する為の制御信号を供給する接続配線を含むフレキシブルな可撓性のある接続配線が接続されると共に、該フレキシブルな可撓性のある接続配線の前記制御回路基板に近い側の一端部に、コネクタ挿入部が設けられ、該制御回路基板が、フレキシブルな可撓性のある接続配線部を介して当該第１の駆動回路基板と接続されており、且つ前記制御回路基板には、該第２の駆動回路基板に設けられた各パネル駆動ＩＣを個別に駆動制御する為の制御信号を出力するコネクタ部が設けられており、当該フレキシブルな可撓性のある接続配線が折り曲げられ、該駆動回路基板と当該制御回路基板部とが折り畳まれた状態で当該液晶表示パネルの裏面部の、画像を構成しない前記液晶パネルの下方に配置され、該コネクタ部と該コネクタ挿入部とが互いに嵌合接続しえる様に構成されている液晶表示装置で有る。
この構成において、第２の駆動回路基板は、液晶パネルに対してフレキシブルな可撓性のある接続配線部を介して液晶表示パネルに接続されている。
【００１０】
更に、本発明に於ける液晶表示装置に於いては、上記した基本構成を利用して、当該可撓性のある接続配線部を介して該液晶表示パネルと接続されている該駆動回路基板、或いは該駆動回路基板と当該駆動回路基板の駆動を制御する制御基板とが、当該液晶表示パネルの裏面部の下方に折り畳んだ状態で配置せしめられている液晶表示装置である。
【００１１】
【作用】
本発明に係る液晶表示装置１は、上記した様な基本的な技術構成を採用しているので、該駆動回路基板が、折り畳まれた様な状態で、液晶表示パネルの裏面部の下方に配置せしめる事が可能となるので、従来、当該液晶表示装置の液晶表示パネルの周辺に配置されていた当該駆動回路基板の少なくとも一部の駆動回路基板が、専有していた領域部分が、省略出来るので、その分当該液晶表示パネルの周辺回路部の面積を縮小出来、従って、当該液晶表示装置全体のサイズを、液晶表示パネルの必要サイズを維持したままで、縮小する事が可能となるのである。
【００１２】
更には、本発明に於ける液晶表示装置１に於いては、液晶表示パネルと直接接続されている一部の駆動回路基板には、当該各パネル駆動ＩＣを個別に駆動制御する為の制御信号を供給する接続配線を含むフレキシブルな可撓性のある接続配線部を接続すると共に、該フレキシブルな可撓性のある接続配線部の一端部、即ち制御回路基板に近い方側の端部に、上記各々の配線部の端部が集合せしめられているコネクタ挿入部を設けると共に、前記制御回路基板には、該駆動回路基板に設けられた各パネル駆動ＩＣを個別に駆動制御する為の制御信号を出力するコネクタ部を設けたものであって、該コネクタ部と該コネクタ挿入部とが、互いに嵌合接続しえる様に構成したものであるので、上記した様に、制御回路基板が、液晶表示パネルの裏面部の下方に配置せしめられた場合でも、該フレキシブルな可撓性のある接続配線部を適宜湾曲させたり、折り曲げたりする事によって、当該コネクタ挿入部を容易に該コネクタ部に挿入しえる様に構成したものであるので、組立操作が容易となり、作業効率の著しい向上に貢献する他、安定して確実な接続部を有する小型の液晶表示パネルを製造する事が可能となる。
【００１３】
【実施例】
以下に、本発明に係る液晶表示装置の具体例を図面を参照しながら詳細に説明する。
即ち、図１は、本発明に係る液晶表示装置１の一具体例の構成を示す平面図であり、図中、液晶表示パネル２と該液晶表示パネル２の周辺に配置され、該パネル２を駆動するパネル駆動ＩＣ群３１〜３ｎ及び４１〜４ｎを有する駆動回路基板３、４−１及び４−２及び該駆動回路基板３、４−１及び４−２と接続され、当該駆動回路基板３、４−１及び４−２の各パネル駆動ＩＣ３１〜３ｎ及び４１〜４ｎを個別に駆動制御する制御回路基板５とから構成された液晶表示装置１であって、少なくとも一部の該駆動回路基板である第１の駆動回路基板３は、フレキシブルな可撓性のある接続配線部３０を介して当該液晶表示パネル２に接続されていると共に、残りの該駆動回路基板である第２の駆動回路基板４−１及び４−２は、当該液晶表示パネル２に対して固定的に接続されている。液晶表示装置１に於いて、当該第２の駆動回路基板４−１及び４−２には、該駆動回路基板４−１及び４−２に設けられた各パネル駆動ＩＣ４１〜４ｎの入力端子に接続され、当該各パネル駆動ＩＣ４１〜４ｎを個別に駆動制御する為の制御信号を供給する接続配線９、１０を含むフレキシブルな可撓性のある接続配線部６１、６２が接続されると共に、該フレキシブルな可撓性のある接続配線部６１、６２の一端部Ｅに、コネクタ挿入部６３、６４が設けられ、且つ前記制御回路基板５には、該第２の駆動回路基板４−１及び４−２に設けられた各パネル駆動ＩＣ４１〜４ｎを個別に駆動制御する為の制御信号を出力する入出力コネクタ部５１、５２が設けられており、該コネクタ部５１、５２と該コネクタ挿入部６３、６４とが、互いに嵌合接続し得る様に構成されている液晶表示装置１が示されている。
【００１４】
本発明に於ける当該液晶表示装置１に於いては、フレキシブルな可撓性のある接続配線部３０、６１、６２を適宜組み合わせて使用すると共に、特にフレキシブルな可撓性のある接続配線部６１、６２の先端自由端部Ｅにコネクタ挿入部６３、６４を設け、且つ該制御回路基板５に当該コネクタ挿入部６３、６４を受け入れる入出力コネクタ部５１、５２を配置したものであるので、当該フレキシブルな可撓性のある接続配線部３０、６１、６２を、必要に応じて折り曲げ、湾曲、屈曲させる事により、当該コネクタ挿入部６３、６４と入出力コネクタ部５１、５２との接続部を当該液晶表示パネル２の下部周辺部にコンパクトに配置させる事が可能となるので、当該液晶表示パネル２の画像表示部のサイズを維持したまま、全体のサイズを縮小する事が可能となる。
【００１５】
つまり、図１に示す本発明の液晶表示装置１に於いては、一例として、当該液晶表示パネル２に接続されている第１の駆動回路基板３、第２の駆動回路基板４─１及び４─２の内、特に画像の走査、タイミングを操作する、第１の駆動回路基板であり、コモン電極（Ｙ電極）を駆動制御する為の複数個の駆動用ＩＣ３１〜３ｎが設けられたコモン電極駆動回路基板３を、当該液晶表示パネル２に対してフレキシブルな可撓性のある接続配線部３０を介して、接続させ、第１の駆動回路基板である当該コモン電極駆動回路基板３を該液晶表示パネル２に対して屈曲、折り曲げ、折り畳みが可能となる様に構成したものである。
【００１６】
即ち、当該コモン電極駆動回路基板３に設けられた複数個の駆動用ＩＣ群３１〜３ｎのそれぞれは、各駆動用ＩＣ群３１〜３ｎの出力端子部が、当該フレキシブルな可撓性のある接続配線部３０に印刷された各配線に接続され、当該各配線を介して、当該液晶表示パネル２のコモン電極（Ｙ電極）のそれぞれと電気的に接続されるものである。
【００１７】
尚、本発明に於ける該液晶表示装置１に於いては、図１に示す様に、当該第１の駆動回路基板３を当該液晶表示パネル２に対してフレキシブルに接続すると共に、
他の駆動回路基板である第２の駆動回路基板４−１及び４−２、つまりセグメント電極（Ｘ電極）を駆動制御する複数個の駆動用ＩＣ群４１〜４ｎを有する駆動回路基板４−１及び４−２は、該液晶表示パネル２に対して、例えば図３のように固定的に、又は一体的に配置せしめられる例を示してあるが、本発明に於ける液晶表示装置１は、係る具体例に限定されるものではなく、該駆動回路基板４−１及び４−２を、フレキシブルな可撓性のある接続配線部６１、６２に印刷された配線を介して、当該液晶表示パネルのセグメント電極（Ｘ電極）のそれぞれと電気的に接続され、当該コモン電極駆動回路基板３を当該液晶表示パネル２に対して固定的に接続したもので有っても良い事は言うまでもない。
【００１８】
更に、例示する様に、係るフレキシブルな可撓性のある接続配線部６１、６２にセグメント電極（Ｘ電極）を駆動制御する複数個の駆動用ＩＣ群４１〜４ｎを実装した構成にしたもので有っても良く、全ての駆動回路基板３，４−１，及び４−２をフレキシブルな可撓性のある接続配線部３０、６１、６２に印刷された配線を介して、当該液晶表示パネルに接続したもので有っても良い。
【００１９】
処で、本発明に於いて使用される、該第１の駆動回路基板３と該液晶表示パネル２とを接続するフレキシブルな可撓性のある接続配線部３０、及び／又は、該第２の駆動回路基板４─１及び４─２と該制御回路基板５とを接続するフレキシブルな可撓性のある接続配線部６１、６２、更には、該第１の駆動回路基板３と該制御回路基板５とを接続するフレキシブルな可撓性のある接続配線部５０等は、例えば、ポリイミド樹脂よりなるベースフィルムに、銅箔をエッチングして得られた所定本数のリードパターンで構成された配線部が形成されているものを使用する事が可能である。
【００２０】
本発明に於いては、当該液晶表示装置１は、上記構成を有する事から、当該可撓性のある接続配線部３０を介して該液晶表示パネル２と接続されている該駆動回路基板３を図２に例示する様に、該可撓性のある接続配線部３０を、そのフレキシビリティ性を利用して、折り曲げて当該液晶表示パネル２の裏面部の下方に配置せしめる事が望ましい。
【００２１】
係る構成を採用する事によって、従来当該駆動回路基板３と制御回路基板５とが専有していた空間領域を削除する事が可能となる。
即ち、該液晶表示パネル２と該接続配線部３０との接続部であり、画像を構成しない該液晶表示パネル部分に、駆動回路基板３と制御回路基板５とを配設する事が可能となる。
【００２２】
更に、本発明に係る液晶表示装置１に於いては、他の具体例として、該第１の駆動回路基板３と該第２の駆動回路基板４─１及び４─２を個別に駆動制御する制御回路基板５の内で、少なくとも該可撓性のある接続配線部３０を介して該液晶表示パネル２と接続されている該第１の駆動回路基板、つまり上記の具体例に於いては、該コモン電極（Ｙ電極）駆動回路基板３を駆動制御する制御回路基板部５が、他のフレキシブルな可撓性のある接続配線部５０を介して当該駆動回路基板３と接続されている事が望ましい。
【００２３】
本発明に於いては、前記した様に、該制御回路基板５に於いて、該第１の駆動回路基板３を駆動制御する駆動制御回路５’と、該第２の駆動回路基板４−１及び４−２を駆動制御する駆動制御回路５”とが、互いに異なる別々の回路基板上に形成されている場合には、当該該第１の駆動回路基板３と該第１の駆動回路基板３を駆動制御する駆動制御回路５’のみを可撓性のある接続配線部５０で接続するもので有っても良いが、該制御回路基板５に於いて、該第１の駆動回路基板３を駆動制御する駆動制御回路５’と該第２の駆動回路基板４−１及び４−２を駆動制御する駆動制御回路５”が、同一の基板上に形成されている場合には、該制御回路５全体を当該第１の駆動回路基板３とフレキシブルな可撓性のある接続配線部５０を介して接続させるもので有っても良い。
【００２４】
係る場合には、前記した様に、該第２の駆動回路基板４─１及び４─２と該第２の駆動回路基板４─１及び４─２を駆動制御する駆動制御回路５”との間をフレキシブルな可撓性のある接続配線部６１、６２を介して接続すると共に、該フレキシブルな可撓性のある接続配線部６１、６２の一端部に設けられた当該コネクタ挿入部６３、６４を該第２の駆動回路基板４─１及び４─２を駆動制御する駆動制御回路５”に設けられたコネクタ部５１、５２に挿入して嵌合接続せしめる事により、当該フレキシブルな可撓性のある接続配線部３０、５０、６１、６２を適宜に折り曲げ、湾曲、折り畳み状態に維持したままで、容易に接続操作を実行する事が可能となる。
【００２５】
従って、上記した本発明に於ける具体例に於いては、図２に示す様に、当該可撓性のある接続配線部３０を介して該液晶表示パネル２と接続されている例えば該駆動回路基板３と、当該駆動回路基板３に対して当該可撓性のある接続配線部５０を介して接続されている当該制御回路基板５とが互いに折り畳まれて重畳された状態で当該液晶表示パネル２の裏面部の下方に配置する事が可能となる。
【００２６】
従って、本発明に於ける上記具体例に於いては、従来に於ける制御回路基板３と駆動回路基板５が専有していた空間領域部分を省略する事が出来るので、当該液晶表示装置１に於ける液晶表示パネル２の周辺制御回路部の面積を大幅に縮小する事が可能となる。
一方、上記した本発明に於ける液晶表示装置の一具体例に於いては、主にコモン電極（Ｙ電極）駆動回路基板３と制御回路基板５との接続関係に付いて説明したが、本発明に於ける液晶表示装置１の第２の駆動回路基板４─１及び４─２と該制御回路基板５との接続関係の例を図１〜図３を参照しながら説明する。
【００２７】
つまり、上記具体例に於いて、該第２の駆動回路基板４−１及び４−２は、その一例として、該液晶表示パネル２に固定的に接続されている例を示しており、係る例に於いては、該第２の駆動回路基板４−１及び４−２に設けられた、セグメント電極（Ｘ電極）を駆動制御する複数個の駆動用ＩＣ群４１〜４ｎは、例えば、ポリイミド樹脂よりなるベースフィルムに、銅箔をエッチングして得られた所定本数のリードパターンで構成された配線部が形成されている可撓性配線部６１、６２の当該各接続配線部９、１０のそれぞれと接続されているものである。
【００２８】
係る構成に於けるそれ等の接続方法は、導電粒子を樹脂系接着剤に混入した異方性導電接着剤を用いるものであっても良く、又半田を用いたもので有っても良い。
一方、該可撓性配線部６１、６２の一端部には、コネクタ挿入部６３、６４がそれぞれ個別に形成されており、当該コネクタ挿入部６３、６４は、前記した制御回路基板５に設けられた、該第２の駆動回路基板４─１及び４─２制御回路部の為の入力又は出力コネクタ部５１、５２とそれぞれ個別に嵌合しえる様になっている。
【００２９】
そして、前記し且つ図２に示す様に、当該制御回路基板５が、該駆動回路基板３と共に、折り曲げられ、重畳された状態で、当該液晶表示パネル２の裏面部の下方に配置せしめられている状態に於いて、該第２の駆動回路基板４─１及び４─２に接続されている可撓性配線部６１、６２を図３に示す様に、湾曲させるか折り曲げて当該液晶表示パネル２の裏面下方部に回り込ませ、各可撓性配線部６１、６２の一端部に設けられたコネクタ挿入部６３、６４を前記した制御回路基板５に設けられた、該第２の駆動回路基板４─１及び４─２の制御回路信号の入力又は出力コネクタ部５１、５２とそれぞれ個別に嵌合せしめる様にすると良い。
【００３０】
かかる構成を採用する事により、当該液晶表示パネル２の上下側縁部に於いても、少なくとも当該配線部６１、６２に相当する空間領域部を省略する事が可能となるので、当該液晶表示装置１のサイズの縮小化に多いに寄与する事が可能である。
【００３１】
【発明の効果】
本発明に係る液晶表示装置１は、上記した様な技術構成を有しているので、該駆動回路基板が、折り畳まれた様な状態で、液晶表示パネルの裏面部の下方に配置せしめる事が可能となるので、従来、当該液晶表示装置の液晶表示パネルの周辺に配置されていた当該駆動回路基板の少なくとも一部の駆動回路基板が、専有していた領域部分が、省略出来るので、その分当該液晶表示パネルの周辺回路部の面積を縮小出来、従って、当該液晶表示装置全体のサイズを、液晶表示パネルの必要サイズを維持したままで、縮小する事が可能となるのである。
【００３２】
更に本発明に於いては、隣接する入出力端子間の間隔に余裕が出来るので、小型化しても、当該入出力端子間のショートや断線の増加或いは、電極抵抗が大きくなると言う問題が解決出来、然かも実装歩留りを向上して製品の生産コストを低減出来る液晶表示装置を得る事が可能である。
【図面の簡単な説明】
【図１】図１は、本発明に係る液晶表示装置の一具体例の構成を示す平面図である。
【図２】図２は、本発明に於ける液晶表示装置の一具体例の構成を示す側面図である。
【図３】図３は、本発明に於ける液晶表示装置の他の具体例の於ける構成を示す斜視図である。
【図４】図４は、従来の液晶表示装置の構成の一例を示す平面図である。
【符号の説明】
１…液晶表示装置
２…液晶表示パネル
３…駆動回路基板、第１の駆動回路基板
４─１、４─２…セグメント電極（Ｘ電極）駆動回路基板
３１〜３ｎ…コモン電極（Ｙ電極）駆動用ＩＣ
４１〜４ｎ…セグメント電極（Ｘ電極）駆動用ＩＣ
５…制御回路基板
６…入出力手段
７…中央演算手段
８…周辺回路基板
９、１０、１１…接続配線部
３０、５０…可撓性のある接続配線部
５１、５２…コネクタ部
６１、６２…可撓性配線部
６３、６４…コネクタ挿入部
【図１】
0003578490.tif 000002
【図２】
0003578490.tif 000003
【図３】
0003578490.tif 000004
【図４】
0003578490.tif 000005